(57)【要約】      （修正有）【課題】出水管をペットがなめる時に、出水管に結合された少なくとも１つの仕切り片により、水中の空気を仕切り片の上方空間に排除し、水を下方空間より順調に外に導出してペットの飲用に供することができる飲水器の出水管導通構造を提供する。【解決手段】水を入れる所定形状容器の下方に出水口１１が形成され、該出水口に、末端に阻水部品を組み合わせた出水管２が接続されたペット用飲水器において、該出水管の内部に少なくとも一つの仕切り片３が結合されて、ペットが舌で出水管をなめる時に、該阻水部品４が上に移動し、該出水管の該仕切り片の上方空間により水中の空気が排除され、水が出水管の該仕切り片の下方空間をとおり順調に導出され、ペットが水を飲むときに水が順調に導通する。【選択図】図３
0003170711.tif 000002
【実用新案登録請求の範囲】
【請求項１】
飲水器の出水管導通構造において、水を入れる容器の下方に出水口が形成され、該出水口に、一端に阻水部品を組み合わせた出水管の別端が接続されたペット用飲水器に適用され、
該出水管の内部に少なくとも一つの仕切り片が結合されて、該仕切り片により該出水管内部が上方と下方の少なくとも二つの空間に仕切られ、
ペットが舌で該出水管をなめる時に、該阻水部品が上に移動し、該出水管の該仕切り片の上方に位置する空間により水中の空気が排除され、水が該出水管の該仕切り片の下方に位置する空間をとおり順調に導出されるように構成されたことを特徴とする、飲水器の出水管導通構造。
【請求項２】
請求項１記載の飲水器の出水管導通構造において、該ペット用飲水器の該出水管内部の仕切り片と出水管が個別に成形され、組立時に該仕切り片が該出水管内部に嵌合、位置決めされることを特徴とする、飲水器の出水管導通構造。
【請求項３】
請求項２記載の飲水器の出水管導通構造において、該ペット用飲水器の該出水管の内壁に所定深さの凹溝が設けられ、該少なくとも一つの仕切り片が確実に該凹溝に嵌合されることを特徴とする、飲水器の出水管導通構造。
【請求項４】
請求項２記載の飲水器の出水管導通構造において、該ペット用飲水器の該出水管内部に複数の該仕切り片が設けられる時、二つの隣り合う該仕切り片が前後に所定間隔で位置決めされるように成形され、直接出水管内部に嵌め込まれて確実に所定間隔に位置決めされることを特徴とする、飲水器の出水管導通構造。
【請求項５】
請求項１記載の飲水器の出水管導通構造において、該ペット用飲水器の該出水管内部の該仕切り片が該出水管と一体成形されたことを特徴とする、飲水器の出水管導通構造。
【考案の詳細な説明】
【技術分野】
【０００１】
本考案は一種の飲水器の出水管導通構造を提供し、それは、ペット用飲水器の出水管の内部に少なくとも一つの仕切り片が結合されて、ペットが舌で出水管をなめる時に、該阻水部品が上に移動し、該出水管の該仕切り片の上方空間により水中の空気が排除され、水が出水管の該仕切り片の下方空間をとおり順調に導出されて飲用に供される出水管の設計に関する。
【背景技術】
【０００２】
現在、ペット用飲水器は水を容れる容器、容器の下方の出水口に接続される出水管部分、及び、該出水管に組合せられる阻水部品で構成され、ペットケージ内のペットの飲水に便利である。
【０００３】
本考案者は長らくペット用飲水器関連物品の研究開発を重ね、並びに特許文献１乃至４のようなペットの飲水に便利なペット用飲水器を考案している。
上述のペット用飲水器はいずれも出水管をペットがなめる時に水が出て、及び、適当な阻水構造が設けられている。
【先行技術文献】
【特許文献】
【０００４】
【特許文献１】台湾実用新案公告第Ｍ２６５９１９号明細書
【特許文献２】台湾実用新案公告第Ｍ３１６３５２号明細書
【特許文献３】台湾実用新案公告第Ｍ３７４７４３号明細書
【特許文献４】台湾実用新案公告第Ｍ３９７１４９号明細書
【考案の概要】
【考案が解決しようとする課題】
【０００５】
本考案は現在のペット用飲水器の出水管に新たな形態設計を行うことで、出水管をペットがなめる時に、出水管に結合された少なくとも１つの仕切り片により、水中の空気を仕切り片の上方空間に排除し、水を下方空間より順調に外に導出してペットの飲用に供することができるようにする。
【課題を解決するための手段】
【０００６】
本考案は、水を入れる所定形状容器の下方に出水口が形成され、該出水口に、末端に阻水部品を組み合わせた出水管が接続されたペット用飲水器において、該出水管の内部に少なくとも一つの仕切り片が結合されて、ペットが舌で出水管をなめる時に、該阻水部品が上に移動し、該出水管の該仕切り片の上方空間により水中の空気が排除され、水が出水管の該仕切り片の下方空間をとおり順調に導出され、ペットが水を飲むときに水が順調に導通するものとされる。
【０００７】
本考案はまた、ペット用飲水器の出水管内部の仕切り片と出水管が個別に成形され、組立時に仕切り片が出水管内部に嵌合、位置決めされる。
【０００８】
本考案はまた、ペット用飲水器の出水管内部の内壁に所定深さの凹溝が設けられ、該少なくとも一つの仕切り片が確実に該凹溝に嵌合される。
【０００９】
本考案はまた、該ペット用飲水器の該出水管内部に複数の該仕切り片が設けられる時、二つの隣り合う該仕切り片が前後に所定間隔で位置決めされるように成形され、直接出水管内部に嵌め込まれて確実に所定間隔に位置決めされる。
【００１０】
本考案はまた、ペット用飲水器の出水管内部の仕切り片が出水管と一体成形され得る。
【考案の効果】
【００１１】
本考案によると、ペットが舌で出水管をなめる時に、該阻水部品が上に移動し、該出水管の該仕切り片の上方空間により水中の空気が排除され、水が出水管の該仕切り片の下方空間をとおり順調に導出され、ペットが水を飲むときに水が順調に導通する。
【図面の簡単な説明】
【００１２】
【図１】本考案の出水管を結合したペット用飲水器の側面図である。
【図２】本考案の出水管アセンブリの分解図である。
【図３】本考案の出水管アセンブリを結合したペット用飲水器の断面図である。
【図４】本考案の出水管アセンブリの別の実施例を結合したペット用飲水器の分解図である。
【図５】本考案の出水管アセンブリの別の実施例を結合したペット用飲水器の断面図である。
【図６】本考案の出水管アセンブリのさらに別の実施例を結合したペット用飲水器の分解図である。
【図７】本考案の出水管アセンブリのさらに別の実施例を結合したペット用飲水器の断面図である。
【考案を実施するための形態】
【００１３】
本考案の設計の飲水器の出水管導通構造（図１のとおり）は、ペット用飲水器５の水を容れる所定造形の容器１、該容器１の下方に形成された出水口１１に接続される出水管２、及び出水管２の末端に組み合わせられる阻水部品４（図２のとおり）を包含するペット用飲水器５に適用される。
【００１４】
該阻水部品４は、出水端にシールリング４２が結合された末端接続部４１内に、ビーズ４３が収容され並びに適宜シールリング４２の内周面に当接させられ、末端接続部４１の一端に設けられた雌ネジ４４が、出水管２の対応端の、Ｏリング２２が嵌合された雄ネジ２１に螺合されることで構成される。
【００１５】
本考案の改良部分は、図２、４に示されるように、出水管２内部に少なくとも一つの仕切り片３が結合されて、出水管２内部が上下の二つの、或いは二つ以上の空間２３に仕切られていることにある（図３、図５のとおり）。そのうち、出水管２内部に結合された少なくとも一つの仕切り片３は、出水管２と別々に形成され、組立時に、幅が出水管２内径よりも僅かに大きい仕切り片３が出水管２内に押し込まれて確実に位置決めされ、並びに出水管２が上方と下方の空間２３に仕切られる（図３のとおり）。
【００１６】
また、ペット用飲水器５の出水管２内部に結合される少なくとも一つの、それぞれ個別に成形される仕切り片３（図４のとおり）は、出水管２に対して所定方向に嵌合される時、その一つの方式は以下のとおりである。出水管２内部の内壁の対応する位置に所定深さの凹溝（凹溝の方式は図示されていない）が設けられ、少なくとも一つの仕切り片３が確実にその間に嵌め込まれる（図５のとおり）。また、別の方式は、この少なくとも一つの仕切り片３が、成形時に二つの隣り合う仕切り片３が前後に所定の間隔で位置決めされ、これにより、少なくとも一つ以上の仕切り片３が直接出水管２内部で確実な間隔を以て定位される。
【００１７】
ペット用飲水器５の出水管２内部の仕切り片３’の第３形態は、仕切り片３’と出水管２が一体成形され（図６のとおり）、出水管２内部が上方と下方の空間２３に仕切られる（図７のとおり）。
【００１８】
上述の、少なくとも一つの仕切り片３、３’が結合された出水管２を具えたペット用飲水器５は（図３、５、７参照）よりペットが水を飲む時、ペットの舌が出水管２をなめると、阻水部品４のビーズ４３が上に移動した後、出水管２の仕切り片３、３’の上方に位置する上方空間２３によって水中の空気が排除され、該出水管２の該仕切り片３、３’の下方に位置する下方空間２３により水が順調に導出され、ペットが順調に水を飲むことができる。
【符号の説明】
【００１９】
１  容器                １１  出水口
２  出水管              ２１  雄ネジ
２２  Ｏリング          ２３  空間
３、３’  仕切り片      ４  阻水部品
４１  末端接続部        ４２  シールリング
４３  ビーズ            ４４  雌ネジ
５  ペット用飲水器
【図１】
0003170711.tif 000003
【図２】
0003170711.tif 000004
【図３】
0003170711.tif 000005
【図４】
0003170711.tif 000006
【図５】
0003170711.tif 000007
【図６】
0003170711.tif 000008
【図７】
0003170711.tif 000009
【手続補正書】
【提出日】平成23年7月27日(2011.7.27)
【手続補正１】
【補正対象書類名】実用新案登録請求の範囲
【補正対象項目名】全文
【補正方法】変更
【補正の内容】
【実用新案登録請求の範囲】
【請求項１】
飲水器の出水管導通構造において、水を入れる容器の下方に出水口が形成され、該出水口に、一端に阻水部品を組み合わせた出水管の別端が接続されたペット用飲水器に適用され、
該阻水部品は、出水端にシールリングが結合された末端接続部、該末端接続部内に収容され並びにシールリングに当接させられたビーズ、及び該出水管の、Ｏリングが嵌合された雄ネジと螺合され該末端接続部の一端に設けられた雌ネジを含み、
該出水管の内部に少なくとも一つの仕切り片が結合されて、該仕切り片により該出水管内部が上方と下方の少なくとも二つの空間に仕切られたことを特徴とする、飲水器の出水管導通構造。
【請求項２】
請求項１記載の飲水器の出水管導通構造において、該ペット用飲水器の該出水管内部の仕切り片と出水管が個別に成形され、組立時に該仕切り片が該出水管内部に嵌合、位置決めされることを特徴とする、飲水器の出水管導通構造。
【請求項３】
請求項２記載の飲水器の出水管導通構造において、該ペット用飲水器の該出水管の内壁に所定深さの凹溝が設けられ、該少なくとも一つの仕切り片が確実に該凹溝に嵌合されることを特徴とする、飲水器の出水管導通構造。
【請求項４】
請求項２記載の飲水器の出水管導通構造において、該ペット用飲水器の該出水管内部に複数の該仕切り片が設けられる時、二つの隣り合う該仕切り片が前後に所定間隔で位置決めされるように成形され、直接出水管内部に嵌め込まれて確実に所定間隔に位置決めされることを特徴とする、飲水器の出水管導通構造。
【請求項５】
請求項１記載の飲水器の出水管導通構造において、該ペット用飲水器の該出水管内部の該仕切り片が該出水管と一体成形されたことを特徴とする、飲水器の出水管導通構造。